(57)【要約】【課題】化学肥料を用いない有機農法で植物の成長を促進することが可能な園芸システムを提供することを目的とする。【解決手段】金網１２からなる篭体で構成した炭焼き窯１０で間伐材２０を炭化して炭２１とし、未汚染土壌３１と家畜し尿３２を混合して有機土壌３０とし、間伐材２０を骨組みにし、金網５６を用いて通風形ハウス５０を形成する。炭２１を収容したままの炭焼き窯１０をハウス５０内の穴５２に収容し、炭２１の上方を有機土壌３０で覆う。有機土壌３０で作物４０を有機栽培するようにした。【選択図】　　　　図１
2004024166.tif 000002
【特許請求の範囲】
【請求項１】
有機農法に適した土壌と植物の育成環境を作り出す園芸システムであって、
金属製の篭体からなる炭焼き窯で間伐材を炭化処理した炭と、
未汚染土壌を主体とし、動物系し尿を混合してなる有機土壌と、
間伐材と金網を用いて形成した通風形ハウスと、よりなり、
前記ハウス内に埋設した炭の上方を有機土壌で覆い、
前記有機土壌で植物を栽培するようにしたことを特徴とする、
園芸システム。
【請求項２】
請求項１に記載する園芸システムにおいて、ハウスの一部に前記炭を封入したパネル体を配置したことを特徴とする、園芸システム。
【請求項３】
請求項１または請求項２に記載する園芸システムにおいて、ビニルで覆ったハウスの一部に金網を重ねて配置し、該金網と重合する範囲のビニルを開閉可能としたことを特徴とする、園芸システム。
【請求項４】
請求項１乃至請求項３のいずれかに記載する園芸システムにおいて、炭化処理に用いた金属製の篭体とともに、間伐材製の炭を埋設したことを特徴とする、園芸システム。
【発明の詳細な説明】
【０００１】
【発明の属する技術分野】
本発明は、有機農法に適した土壌と植物の育成環境を作り出す園芸システムに関するものである。
【０００２】
【従来の技術】
日本の農業は多量の化学肥料と農薬を用いてきた結果、土壌の疲労化による作物の低栄養化が進み、またこれら作物や汚染水を通して人体への健康被害も進んでいる。
このような背景から、一部で在来土壌を元に有機肥料を用いた農法が実行されているが、疲労した土壌の回復には相当の期間を要し、作物の汚染度を急激に低下させるには至っていない。
また、近時の環境に対する関心の高まりから、家畜などの動物のし尿処理の見直しや、大量に発生する間伐材などの有効な廃棄処理策が模索されている。
【０００３】
【発明の目的】
本発明は上記に鑑みて考えられたもので、化学肥料を用いない有機農法で植物の成長を促進することが可能な園芸システムを提供することを目的とする。
また本発明は、廃棄物である間伐材と家畜し尿をリサイクルすることにより環境の汚染を防いだ園芸システムを提供することを目的とする。
本発明は、上記目的のうち少なくとも一つを達成するようにしたものである。
【０００４】
【課題を解決するための手段】
上記のような目的を達成するために、本発明の園芸システムは、有機農法に適した土壌と植物の育成環境を作り出す園芸システムであって、金属製の篭体からなる炭焼き窯で間伐材を炭化処理した炭と、未汚染土壌を主体とし、動物系し尿を混合してなる有機土壌と、間伐材と金網を用いて形成した通風形ハウスと、よりなり、前記ハウス内に埋設した炭の上方を有機土壌で覆い、前記有機土壌で植物を栽培するようにしたことを特徴とする。
【０００５】
ここで、ハウスの一部に前記炭を封入したパネル体を配置することができ、ビニルで覆ったハウスの一部に金網を重ねて配置し、該金網と重合する範囲のビニルを開閉可能とすることができる。
また、炭化処理に用いた金属製の篭体とともに、間伐材製の炭を埋設することができる。
【０００６】
【発明の実施の形態】
以下図面を参照しながら本発明に係る実施の形態について説明する。
【０００７】
＜イ＞園芸システム（図１）
ハウス５０内に埋設した炭２１の上方を有機土壌３０で覆い、有機土壌３０で作物４０を有効に栽培するシステムである。
間伐材２０を炭化して炭２１とし、未汚染土壌３１と動物系し尿３２を混合して有機土壌３０とし、間伐材２０を骨組みにしてハウス５０を形成する。
炭２１、有機土壌３０及びハウス５０を組み合わせてなる園芸システムは、農作物や果樹・花木栽培において環境を汚染することなく、土壌の抗菌、腐蝕防止、排水、浄化並びに微生物群の活性化による植物の生育促進と改善を図る。
【０００８】
＜ロ＞炭造り
間伐材２０を炭焼き窯１０で炭化して炭２１を作る。
▲１▼炭焼き窯１０（図２）
炭焼き窯１０は、現地で組み立てるようにした組立式簡易炭焼き窯である。炭焼き窯１０を分解した状態でトラックの荷台に積載し、現地へ搬送し、組み立てる。
炭焼き窯１０は、例えば金網１２からなる底板（図示せず）と側板１１を組み立てて箱形に形成した金属製の篭体である。天井部に複数本のアーチ型パイプ１３を取り付ける。金網１２は、例えばステンレス鋼（ＳＵＳ）等の金属製線材を格子状に編んで構成する。
側板１１の外側及び天井部を複数枚の波トタン１４で覆う。側板１１の一部に耐火ブロック１５を積み上げて焚口１６を形成し、天井部に排煙口１７を取り付ける。
森林を伐採する伐採現場から炭焼き窯が設置してある場所まで間伐材２０を搬送するのでは運送経費が嵩むが、本例のように組立式簡易炭焼き窯１０であれば伐採現場で組み立てることができ、間伐材２０を搬送するための運送経費が不要となり、大量に発生する間伐材２０を直ちに処理できる。
炭焼き窯１０が不要になった場合は、分解して撤収することで元の自然環境に回復することができる。
【０００９】
▲２▼間伐材２０の炭化処理
間伐材２０を炭焼き窯１０内に収容し、天井部を波トタン１４で覆う。この場合、炭焼き窯１０の容量に対して間伐材２０が少ないと、間伐材２０に対する酸素の供給量が多くなり、燃焼しつくして炭２１にならないので、容量いっぱいに間伐材２０を収容する。
焚口１６に薪をくべて燃焼し、炭焼き窯１０内の間伐材２０を加熱する。波トタン１４により炭焼き窯１０内には空気の供給が遮断されているので、炭焼き窯１０内に収容された間伐材２０は炭化して炭２１になる。排煙口１７から蒸気、煙の出ている状態を直接確認しながら作業する。
間伐材２０を廃棄物とすることなく炭化して炭２１を造るので、これまで処分に困っていた間伐材２０を有効活用することができる。なお、燃料する薪に間伐材２０を使用すれば、その分、さらに間伐材２０の処理を行うことができる。
炭焼き窯１０内に収容されている間伐材２０を炭２１にした後は、波トタン１４を取り外して炭焼き窯１０を室温に戻す。
【００１０】
＜ハ＞有機土壌３０つくり
有機土壌３０は、肥料分のない山地土壌などの未汚染土壌３１を主体とし、これに家畜し尿などの動物系し尿３２を混合して造る（図１参照）。未汚染土壌３１と家畜し尿３２の割合は、農作物や果樹・花木などの植物の生育に応じて適切な比率をもって混合する。
未汚染土壌３１と家畜し尿３２を混合するだけで、コストの高い無機肥料等の化学肥料を与える必要がないので、野菜類栽培のコストダウン化を図るとともに廃棄処分に多大な手数とコストとを要していた家畜し尿類の有効活用ができる。
【００１１】
＜ニ＞ハウス５０の製作（図１、図３）
ハウス５０は、有機農産物などを生産する生産施設で、間伐材２０を骨組みにし、金網５６を用いて風通しをよくした組立式通風形ハウスである。ハウス５０の外側をビニル５１などで覆う。
また、ハウス５０内の地面には、炭焼き窯１０を収容するための穴５２を掘っておく。この穴５２は、炭２１が地面より低くなるような深さに掘る。
周囲の腰壁部分に炭２１を封入したパネル体５３（以下、炭パネル５３という）を装着する。炭パネル５３は、所定の長さに切断した多数の炭２１を２枚の金網５４で挟んで形成した矩形状のパネルである（図３参照）。内部を炭２１で構成しているために防虫、防湿、防臭などの効果を有する。
ハウス５０の出入り口である扉５５や壁面の一部に、目の細かい金網５６を張り付けてビニル５１との二重構造にする。金網５６と重なる範囲のビニル５１を巻き上げるなどして開閉可能に構成し、通気性をもたせる。必要に応じてビニル５１を巻き上げて、ハウス５０内の気温、湿度等の気象条件を自然な状態に保持する。目の細かい金網５６のため、虫が入ることがない。
図示していないが、ハウス５０内の上部に水供給装置を設置し、ノズルから水を有機土壌３０に供給する。
ハウス５０を、炭焼き窯１０と同様に伐採現場などに組み立てれば、大量に発生する間伐材２０を直ちに処理できる。また、炭焼き窯１０とハウス５０を併設すれば作業性が向上する。
【００１２】
＜ホ＞栽培（図１）
ハウス５０内を掘り起こして所定の穴５２を形成する。この穴５２に波トタン１４を取り外した炭焼き窯１０を、炭２１を収容したままの状態で埋設する。必要に応じて、穴５２の周囲に炭パネル５３を設置してもよい。
炭２１を覆うように、炭２１の上方に有機土壌３０を敷設する。
有機土壌３０に流れ込んだ水が流れ出すとき、水とともに雑菌や臭気が有機土壌３０から流れ落ち、有機土壌３０は各種栄養素をバランス良く含むことになる。このため、肥料を与えずとも水を与えるのみで、野菜類などの作物４０を栄養不足や栄養過多に陥らせずに良品質に生育できる。雑菌や臭気が流れ落ちることによって、作物４０が雑菌により阻害されたり虫食い状態にならない。
また、下方に炭２１があるので、水とともに流れ落ちる雑菌や臭気が下方の炭２１に吸収され、地下水などを汚染することがない。炭２１は、有機土壌３０から流下する雑菌や臭気を吸収するフィルタの役目をする。
次いで、有機土壌３０に野菜類の種子を播く。種子を播いた有機土壌３０に水を補給し続けて、野菜類などの作物４０を発芽、生育させる。作物４０は有機土壌３０から各種栄養素を吸収し続け、肥料を与えずとも順調に発芽、生育する。このように炭２１、有機土壌３０及びハウス５０の組合せは、農作物や果樹・花木栽培において環境を汚染することなく、土壌の抗菌、腐蝕防止、排水、浄化並びに微生物群の活性化による植物の生育促進と改善を図ることができる。
【００１３】
【本発明の効果】
本発明は、以上説明したようになるから次のような効果を得ることができる。＜イ＞有機土壌内の雑菌や臭気を炭篭内の炭や炭パネルで吸収し、金網で通風、防虫構造とすることによって、作物の栽培に好適な園芸システムを構成することができる。
＜ロ＞間伐材と家畜し尿は廃棄物であり、いずれも環境汚染に繋がるもので、これらを廃棄することなくリサイクルすることにより環境汚染の防止に大きく貢献するとともに、両方の特徴を活かすことにより広い範囲におよぶ植物の生育のための有機栽培の道が開ける。
＜ハ＞特に、炭、炭パネル、ハウスの骨組みに間伐材を使用するため、これまで処分に困っていた間伐材を有効に活用することができる。
＜ニ＞炭焼き窯は金網で構成した篭体からなるので、軽量で扱いやすく、間伐材の置かれた現場で容易に組み立てることができる。
【図面の簡単な説明】
【図１】園芸システムを示す説明図。
【図２】炭焼き窯の斜視図。
【図３】ハウスの斜視図。
【符号の説明】
１０・・・炭焼き窯
１２・・・金網
２０・・・間伐材
２１・・・炭
３０・・・有機土壌
３１・・・未汚染土壌
３２・・・動物系し尿
４０・・・作物
５０・・・ハウス
５１・・・ビニル
５２・・・穴
５３・・・炭パネル
５６・・・金網
【図１】
2004024166.tif 000003
【図２】
2004024166.tif 000004
【図３】
2004024166.tif 000005